(57)【特許請求の範囲】
【請求項１】
発信電話番号通知サービスを提供する電話回線を接続でき、さらに外部に外部端末装置を接続する接続手段を有するファクシミリ装置であって、
上記発信電話番号通知サービスにより通知される受信端末起動信号が検出されたか、呼出信号が検出されたかを判別する判別手段と；
上記判別手段により受信端末起動信号が検出されたと判別された場合に、受信端末起動信号に対する応答後に上記発信電話番号通知サービスにより通知される発信側電話番号信号に応じて、上記発信電話番号通知サービスにおける受信端末起動信号と発信側電話番号信号とを擬似的に生成する生成手段と；
上記生成手段により生成された擬似受信端末起動信号と擬似発信側電話番号信号とを上記外部端末装置に対して送信する送信手段と；
上記判別手段により呼出信号が検出されたと判別された場合に、上記電話回線を上記端末装置と切離した状態で呼出信号に応答する応答手段と；
上記応答手段による応答後の所定時間以内に通信相手からのファクシミリ手順信号を検出した場合には、ファクシミリ通信を開始し、所定時間以内にファクシミリ手順信号を検出できない場合には、擬似的に生成した擬似呼出信号を上記外部端末装置へ送出し、上記端末装置が上記擬似呼出信号に応答すると、上記電話回線を上記端末装置へ接続する制御手段と；
を有することを特徴とするファクシミリ装置。
【請求項２】
請求項１において、
上記擬似発信側電話番号信号を送信した後に、直流ループの解放が検出されると、電話回線を上記端末装置へ接続することを特徴とする通信装置。
【請求項３】
発信電話番号通知サービスを提供する電話回線を接続でき、さらに外部に外部端末装置を接続する接続手段を有するファクシミリ装置であって、
上記外部端末装置が上記電話番号通知サービスにより通知された受信端末起動信号に応答したことを検出する起動信号応答検出手段と；
上記応答検出手段による応答検出に応じて、上記電話番号通知サービスにより通知される発信側電話番号信号を検出する発信側電話番号検出手段と；
上記電話番号通知サービスによる発信側電話番号信号の通知後に送られてくる呼出信号に対する上記外部端末装置による応答を検出する呼出応答検出手段と；
を有することを特徴とするファクシミリ装置。
【請求項４】
請求項３において、
上記ファクシミリ装置は、発信側電話番号に対応させて、発信側装置がファクシミリ通信装置であるか、音声通信装置であるかを記憶する記憶手段を有し、
上記発信側電話番号検出手段により検出された発信側電話番号が上記記憶手段にファクシミリ通信装置として記憶している電話番号である場合には、ファクシミリ通信を実行する処理を実行し、上記記憶手段に音声通信装置として記憶している電話番号である場合または上記記憶手段に記憶していない電話番号の場合には、上記呼出応答検出手段による検出処理を実行することを特徴とするファクシミリ装置。
【請求項５】
請求項３において、
上記外部端末装置による呼出信号の応答が、上記呼出応答検出手段により検出された後に、上記電話回線からファクシミリ通信を示す信号が検出されると、ファクシミリ通信を開始することを特徴とするファクシミリ装置。
【発明の詳細な説明】
【０００１】
【発明の属する技術分野】
本発明は、次段に別の端末装置を接続できる通信装置、ファクシミリ装置およびこれらの制御方法に関する。
【０００２】
【従来の技術】
従来より、発信電話番号通知サービスとして、米国、英国にて、発信側の電話番号を呼出信号間に送出するというサービスが存在する。
【０００３】
米国、英国のサービスでは、電話回線にファクシミリ装置が接続され、さらに、次段に別の端末装置を接続することを考えた場合、まず、電話回線を次段の端末装置と接続しない状態にしておき、ファクシミリ装置が、呼出信号を検出時、発呼側の電話番号を判定し、ファクシミリ通信を行う宛先であれば、ファクシミリ通信を開始し、ファクシミリ通信を行わない宛先であれば、電話回線を次段の端末装置に接続するだけで、次段の端末装置は、発信側の電話番号も検出でき、あたかも最初の着信をうけた状態と同じになった。
【０００４】
しかしながら、日本における発信電話番号通知サービスでは、呼接続のシーケンスが異なり、一度、発ＩＤ信号をファクシミリ装置が検出すると、次段の端末装置は、この発ＩＤ信号を検出できず、発信電話番号通知サービスを有効に利用できないという欠点があった。
【０００５】
図２は、従来のキーテレホン装置１１０に接続されたファクシミリ装置１００の具体的構成例を示すブロック図である。
【０００６】
図２において、キーテレホン装置１１０は、ファクシミリ装置１００を介した第１の電話回線（信号線１０６ａ、１０４ｂ）と、直接接続された第２の電話回線（信号線１１０ａ、１１０ｂ）の外線２本を収容し、６つの電話機１１２、電話機１１４、電話機１１６、電話機１１８、電話機１２０、および電話機１２２が、信号線１１２ａ〜ｃ、信号線１１４ａ〜ｃ、信号線１１６ａ〜ｃ、信号線１１８ａ〜ｃ、信号線１２０ａ〜ｃ、および信号線１２２ａ〜ｃを介して接続される。
【０００７】
一方、ファクシミリ装置１００は、信号線１００ａ、１００ｂによる第１の電話回線に接続される。また、ＣＭＬリレー１０１は、信号線１０８ａに信号レベル「０」の信号が出力されている時には、ＣＭＬリレー１０１をオフ、すなわち信号線１００ａ、１００ｂを信号線１０４ａ、１０４ｂに接続し、信号線１０８ａに、信号レベル「１」の信号が出力されている時には、ＣＭＬリレー１０１をオン、すなわち信号線１００ａ、１００ｂを信号線１０２ａ、１０２ｂに接続する。
【０００８】
ファクシミリ通信部１０２は、変復調器等を含むブロックである。また、擬似ＣＩ発生回路１０４は、信号線１０４ａ、１０４ｂに擬似ＣＩ（呼出信号）を送出するものであり、信号線１０８ｂに信号レベル「１」の信号が出力されていると、擬似ＣＩ信号を発生し、信号線１０８ｂに信号レベル「０」の信号が出力されていると、擬似ＣＩ信号を発生しない。
【０００９】
オフフック検出回路１０６は、信号線１０４ａ、１０６ａの電流からオフフック、すなわち信号線１０６ａ、１０４ｂ間で直流ループを捕捉しているか否かを判定する回路であり、オフフック、すなわち直流ループを捕捉していると、信号線１０６ｃに信号レベル「１」の信号を出力し、オフフックでない、すなわち直流ループを捕捉していないと、信号線１０６ｃに信号レベル「０」の信号を出力する。
【００１０】
ファクシミリ装置は、待機時には、ＣＭＬリレー１０１をオフ、すなわち信号線１００ａ、１００ｂを信号線１０４ａ、１０４ｂに接続しておき、呼出信号を検出すると、ＣＭＬリレー１０１をオンし、ファクシミリ通信部１０２で、相手側がファクシミリ装置か電話端末かを判断し、ファクシミリ装置であるとファクシミリ通信を開始し、電話端末であると「少々お待ち下さい」等のメッセージを信号線１００ａ、１００ｂに出力し、擬似ＣＩを信号線１０６ａ、１０４ｂに出力し、オフフックの検出後にＣＭＬリレー１０１をオンし、信号線１００ａ、１００ｂを信号線１０６ａ、１０４ｂに接続して通話状態とする。
【００１１】
【発明が解決しようとする課題】
しかしながら、上記従来技術では、発信電話番号通知サービスが可能なキーテレホン装置であっても、前述のような制御をファクシミリ装置が実行すると、ファクシミリ装置が接続されている電話回線については、キーテレホン装置が発ＩＤ信号を受信できないため、発信番号通知サービスをキーテレホン装置において働かせることができないという欠点があった。
【００１２】
また、ファクシミリ装置と、このファクシミリ装置に接続されたキーテレホン等の端末装置と、の両方で発信番号通知サービスを効率良く利用することができなかった。
【００１３】
本発明は、外部に外部端末装置に接続できる構成のファクシミリ装置において、両方の装置において、発信番号通知サービスを効率良く利用できるようにすることを目的とする。
【００１４】
本発明は、発信電話番号通知サービスを提供する電話回線を接続でき、さらに外部に外部端末装置を接続する接続手段を有するファクシミリ装置であって、上記発信電話番号通知サービスにより通知される受信端末起動信号が検出されたか、呼出信号が検出されたかを判別する判別手段と、上記判別手段により受信端末起動信号が検出されたと判別された場合に、受信端末起動信号に対する応答後に上記発信電話番号通知サービスにより通知される発信側電話番号信号に応じて、上記発信電話番号通知サービスにおける受信端末起動信号と発信側電話番号信号とを擬似的に生成する生成手段と、上記生成手段により生成された擬似受信端末起動信号と擬似発信側電話番号信号とを上記外部端末装置に対して送信する送信手段と、上記判別手段により呼出信号が検出されたと判別された場合に、上記電話回線を上記端末装置と切離した状態で呼出信号に応答する応答手段と、上記応答手段による応答後の所定時間以内に通信相手からのファクシミリ手順信号を検出した場合には、ファクシミリ通信を開始し、所定時間以内にファクシミリ手順信号を検出できない場合には、擬似的に生成した擬似呼出信号を上記外部端末装置へ送出し、上記端末装置が上記擬似呼出信号に応答すると、上記電話回線を上記端末装置へ接続する制御手段とを有することを特徴とするファクシミリ装置である。
【００１５】
また、本発明は、発信電話番号通知サービスを提供する電話回線を接続でき、さらに外部に外部端末装置を接続する接続手段を有するファクシミリ装置であって、上記外部端末装置が上記電話番号通知サービスにより通知された受信端末起動信号に応答したことを検出する起動信号応答検出手段と、上記応答検出手段による応答検出に応じて、上記電話番号通知サービスにより通知される発信側電話番号信号を検出する発信側電話番号検出手段と、上記電話番号通知サービスによる発信側電話番号信号の通知後に送られてくる呼出信号に対する上記外部端末装置による応答を検出する呼出応答検出手段とを有することを特徴とするファクシミリ装置である。
【００２４】
【発明の実施の形態および実施例】
図１は、本発明の第１実施例におけるキーテレホン装置４０に接続されたファクシミリ装置３０の構成を示すブロック図である。
【００２５】
キーテレホン装置４０は、外線２本、具体的には第１の電話回線（信号線２ａＡ２ｂ）は、ファクシミリ装置経由で入力され、さらに、第２の電話回線（信号線４０ａ、４０ｂ）が入力される。そして、内線は６本あり、それぞれ信号線４２ａ〜ｃ、信号線４４ａ〜ｃ、信号線４６ａ〜ｃ、信号線４８ａ〜ｃ、信号線５０ａ〜ｃ、および信号線５２ａ〜ｃを介して、電話機４２、電話機４４、電話機４６、電話機４８、電話機５０、および電話機５２が接続されている。
【００２６】
次に、ファクシミリ装置３０について説明する。
【００２７】
ＣＭＬリレー２は、信号線２４ａに信号レベル「０」の信号が出力されていると、ＣＭＬリレー２をオフ、すなわち信号線２ａ、２ｂを信号線８ａ、８ｂに接続し、信号線２４ａに信号レベル「１」の信号が出力されていると、ＣＭＬリレーをオン、すなわち信号線２ａ、２ｂを信号線６ａ、６ｂに接続する。なお、待機状態では、ＣＭＬリレー２はオフである。
【００２８】
Ｔリレー４は、信号線２４ｂに信号レベル「０」の信号が出力されていると、Ｔリレー４をオフ、すなわち信号線８ａ、８ｂを信号線１４ａ、１４ｂに接続しないで、信号線２４ｂに信号レベル「１」の信号が出力されていると、Ｔリレー４をオン、すなわち信号線８ａ、８ｂを信号線１４ａ、１４ｂに接続する。
【００２９】
発ＩＤ信号検出回路６は、信号線６ａ、６ｂの情報を入力し、発信電話番号通知サービスにおいて、交換機から送出されるＩＴＵ−Ｔ勧告Ｖ．２３に準拠した変調された発ＩＤ信号を入力して復調し、復調した発ＩＤ信号を信号線６ｃに出力する。
【００３０】
ＣＮＧ信号検出回路８は、信号線８ａ、８ｂの信号を入力し、ＣＮＧ信号、すなわち１１００Ｈｚのトーナル信号を検出していると、信号線８ａに信号レベル「１」の信号を出力し、ＣＮＧ信号、すなわち１１００Ｈｚのトーナル信号を検出していないと、信号線８ａに信号レベル「０」の信号を出力する。
【００３１】
ＩＤ受信端末起動信号検出回路１０は、発信電話番号通知サービスにて交換機から送出されるＩＤ受信端末起動信号（０．５秒オン、０．５秒オフの繰り返しで、オン時の信号は１５Ｈｚ以上２０Ｈｚ以下の周波数、送出電力は、交流７５Ｖｒｍｓである）を検出していると、信号線１０ａに信号レベル「１」の信号を出力し、ＩＤ受信端末起動信号を検出していないと、信号線１０ａに信号レベル「０」の信号を出力する。
【００３２】
呼出信号検出回路１２は、呼出信号（１６ヘルツで１秒オン、２秒オフ）を検出している時には、信号線１２ａに信号レベル「１」の信号を出力し、呼出信号を検出してない時には、信号線１２ａに信号レベル「０」の信号を出力する。
【００３３】
オフフック検出回路１４は、信号線１４ｂ、１４ｃの先で直流ループが捕捉されている（オフフックされている）か否かを検出する回路であり、オフフック、すなわち直流ループが捕捉されていると、信号線１４ｄに信号レベル「１」の信号を出力し、オフフックされていない、すなわち直流ループが捕捉されていないと、信号線１４ｄに信号レベル「０」の信号を出力する。
【００３４】
ファクシミリ通信部１６は、信号線６ａ、６ｂを使用して、ファクシミリ装置の送信とファクシミリ装置の受信とを信号線１６ａの制御を介して行うものである。
【００３５】
登録回路１８は、信号線１８ａを介して発ＩＤ信号に対応し、相手先がファクシミリ端末であるか音声端末であるか否かを登録する回路である。
【００３６】
オペレーション部２０は、ワンタッチダイヤル、短縮ダイヤル、テンキー、＊・＃キー、スタートキー、登録回路１８への登録キー、セットキー、その他のファンクションキーを有し、押下されたキー情報を信号線２０ａに出力するものである。
【００３７】
設定回路２２は、キーテレホン装置４０に接続して使用するか否かを設定する回路であり、キーテレホン装置４０に接続して使用する設定になっていると、信号線２２ａに信号レベル「１」の信号を出力し、キーテレホン装置に接続して使用する設定になっていないと、信号線２２ａに信号レベル「０」の信号を出力する。
【００３８】
制御回路２４は、ファクシミリ装置全体を制御するものであり、特に本発明の第１実施例において、主に以下のような制御を行う。
【００３９】
まず、設定回路２２によりファクシミリ装置３０をキーテレホン装置４０に接続して使用する設定になっている場合について説明する。
【００４０】
初期状態では、電話回線をファクシミリ装置３０経由でキーテレホン装置４０に接続しておき、ＩＤ受信端末起動信号を検出し、所定時間（例えば５秒）以内において、キーテレホン装置４０が呼接続をしない場合、ファクシミリ装置３０が呼接続をして発ＩＤ信号を受信し、発ＩＤ信号がファクシミリ通信端末であると、電話回線をキーテレホン装置４０へ接続しない状態とした後に呼接続を解放し、次の呼出信号に対して応答し、ファクシミリ受信を開始し、発ＩＤ信号が音声端末であると、呼接続を解放し、そして次の呼出信号に対してファクシミリ装置は、応答せずに、キーテレホンの応答を待つ。
【００４１】
一方、キーテレホン装置が、所定時間（例えば５秒）以内に呼接続をした場合は、電話回線をファクシミリ装置経由でキーテレホン装置４０に接続したままとしてファクシミリ装置３０が発ＩＤ信号を受信し、発ＩＤ信号がファクシミリ通信端末であると、電話回線をキーテレホン装置４０へ接続しない状態とした後に呼接続を解放し、次の呼出信号に対して応答してファクシミリ受信を開始し、発ＩＤ信号が音声端末であると、電話回線をファクシミリ装置経由でキーテレホン装置に接続したままとし、ファクシミリ装置は応答しないで、キーテレホン装置の制御に任せる。
【００４２】
また、ここでＩＤ受信端末起動信号を検出し、所定時間（例えば５秒）以内にキーテレホン装置４０が呼接続をしないことが所定回数（例えば１０回）以上連続した場合は、発信電話番号通知サービスに対応していないキーテレホン装置と判断し、それ以降は、ＩＤ受信端末起動信号を検出時に直ちに応答し、ＩＤ受信端末起動信号を所定時間（例えば６秒）検出できない場合と同一の制御を実行する。ここで、キーテレホン装置がＩＤ受信端末起動信号に対して応答し、音声通話が開始されるまでの間も含めて、キーテレホン装置が電話回線を使用中であるか否かを検出し、使用中である場合は、発呼動作を禁止する。
【００４３】
次に、設定回路２２により、ファクシミリ装置３０をキーテレホン装置４０に接続して使用しない設定になっている場合には、キーテレホン装置４０のところに通常の電話機が接続されている。ここでは、初期状態として、電話回線をＣＭＬリレー２をオフ、Ｔリレー４をオンした状態にしておく。ここで、ＩＤ受信端末起動信号を検出すると、ファクシミリ装置３０が呼接続をして発ＩＤ信号を受信する。そして、発ＩＤ信号がファクシミリ通信端末であると呼接続を解放し、そして、Ｔリレー４もオフし、電話回線を電話機側に接続しておき、次の呼出信号に対してファクシミリ装置３０は、応答せずに電話機の応答を待つ。
【００４４】
図３〜図９は、本発明の第１実施例における制御回路２４の制御の流れを示すフローチャートである。
【００４５】
まず、Ｓ０で動作を開始し、Ｓ２では、キーテレホン装置４０が発信電話番号通知サービス機能を有しているか否かを判定するためのサービス対応カウンタに０をセットする。
【００４６】
次に、Ｓ４では、信号線２４ａに信号レベル「０」の信号を出力してＣＭＬリレー２をオフし、Ｓ６では、設定回路２２の情報を入力し、キーテレホン装置４０を接続する設定になっているか否かを判断し、キーテレホン装置４０に接続する設定になっているとＳ１２に進み、信号線２４ｂに信号レベル「０」の信号を出力してＴリレー４をオフしてＳ１４に進む。また、電話機を接続する設定になっているとＳ８に進み、信号線２４ｂに信号レベル「１」の信号を出力し、Ｔリレー４をオンして、Ｓ１０に進む。
【００４７】
Ｓ１０では、信号線１０ａの情報を入力し、ＩＤ受信端末起動信号を検出したか否かを判断し、検出するとＳ８８に進み、検出していないとＳ１６に進む。
【００４８】
Ｓ１４では、信号線１０ａの情報を入力し、ＩＤ受信端末起動信号を検出したか否かを判断し、検出するとＳ２２に進み、検出していないとＳ１６に進む。
【００４９】
Ｓ１６では、信号線２０ａの情報を入力し、発信が選択されたか否かを判断し、発信が選択されるとＳ１８に進み、信号線２４ａに信号レベル「１」の信号を出力してＣＭＬリレー２をオンし、ファクシミリ通信を行い（Ｓ２０）、Ｓ４に進む。また、発信が選択されていないとＳ１２６に進む。
【００５０】
Ｓ２２では、サービス対応カウンタが１０以上か、すなわち、キーテレホン装置が発信電話番号通知サービスの機能を有していないかどうかを判断し、１０以上、すなわち発信電話番号通知サービスの機能を有していないとＳ３４に進み、１０未満、すなわち発信電話番号通知サービスの機能を有しているとＳ２４に進み、タイマ１に５秒をセットする。
【００５１】
Ｓ２６では、信号線１４ｄの情報を入力し、キーテレホン装置４０が応答したか否かを判断し、応答するとＳ３０に進み、サービス対応カウンタに０をセットしてＳ８２に進む。また、応答していないとＳ２８に進む。
【００５２】
Ｓ２８では、タイマ１がタイムオーバーしたか否かを判断し、タイムオーバーしていないとＳ２６に進み、タイムオーバーするとＳ３２に進む。
【００５３】
Ｓ３２では、サービス対応カウンタの値を１つインクリメントし、Ｓ３４で、信号線２４ａに信号レベル「１」の信号を出力し、ＣＭＬリレー２をオンする。そして、Ｓ３６では、信号線６ｃの情報を入力して発ＩＤ信号を受信し、Ｓ３８、Ｓ４０で、登録回路１８の情報を入力し、この発ＩＤ信号の端末属性を判断し、ファクシミリ端末であるとＳ４２に進み、音声端末であるとＳ５２に進み、未登録であるとＳ６２に進む。
【００５４】
Ｓ４２では、信号線２４ｂに信号レベル「１」の信号を出力してＴリレー４をオンし、Ｓ４４では、信号線２４ａに信号レベル「０」の信号を出力してＣＭＬリレー２をオフする。
【００５５】
Ｓ４６では、信号線１２ａの情報を入力し、１０秒以内に呼出信号を検出したか否かを判断し、肯定応答であるとＳ４８に進み、信号線２４ａに信号レベル「１」の信号を出力し、ＣＭＬリレー２をオンし、Ｓ５０においてファクシミリ通信を行って、Ｓ４に進む。また、Ｓ４６で否定応答であると、Ｓ４に進む。
【００５６】
Ｓ５２では、信号線２４ａに信号レベル「０」の信号を出力してＣＭＬリレー２をオフする。そして、Ｓ５４では、信号線１２ａの情報を入力し、１０秒以内に、呼出信号を検出したか否かを判断し、肯定応答であるとＳ５６に進み、否定応答であるとＳ４に進む。
【００５７】
Ｓ５６では、信号線１４ｄの情報を入力し、１０秒以内にキーテレホン装置４０が応答したか否かを判断し、否定応答であるとＳ４に進み、肯定応答であるとＳ５８に進み、キーテレホン装置４０による通話を実行する。
【００５８】
次に、Ｓ６０では、信号線１４ｄの情報を入力し、直流ループが解放されたか否かを判断し、解放されるとＳ４に進み、解放されていないとＳ５８に進む。
【００５９】
また、Ｓ６２では、信号線２４ａに信号レベル「０」の信号を出力してＣＭＬリレー２をオフする。そして、Ｓ６４では、信号線１２ａの情報を入力し、１０秒以内に呼出信号を検出したか否かを判断し、肯定応答であるとＳ６６に進み、否定応答であるとＳ４に進む。
【００６０】
Ｓ６６では、信号線１４ｄの情報を入力し、１０秒以内にキーテレホン装置４０が応答したか否かを判断し、否定応答であるとＳ４に進み、肯定応答であるとＳ６８に進み、タイマ１に２０秒をセットし、Ｓ７０にて、キーテレホン装置４０による通話を行う。
【００６１】
次に、Ｓ７２では、信号線８ａの情報を入力し、ＣＮＧ信号を検出したか否かを判断し、検出するとＳ８０に進み、信号線１８ａを介して、この発ＩＤがファクシミリ端末である旨を登録回路１８に登録する。また、検出していないとＳ７４に進む。
【００６２】
Ｓ７４では、タイマ１がタイムオーバーしたか否かを判断し、タイムオーバーしていないとＳ７６に進み、タイムオーバーするとＳ７８に進み、信号線１８ａを介して、この発ＩＤは音声端末である旨を登録回路１８に登録し、Ｓ５８に進む。
【００６３】
また、Ｓ７６では、信号線１４ｄの情報を入力し、直流ループを解放したか否かを判断し、解放するとＳ４に進み、解放していないとＳ７０に進む。
【００６４】
また、Ｓ８２では、信号線６ｃの情報を入力し、発ＩＤ信号を受信する。そして、Ｓ８４、Ｓ８６では、信号線１８ａの情報を入力し、発ＩＤ信号の端末属性を判断し、ファクシミリ端末であるとＳ４２に進み、音声端末であるとＳ５２に進み、未登録であるとＳ６２に進む。
【００６５】
また、Ｓ８８では、信号線２４ａに信号レベル「１」の信号を出力してＣＭＬリレー２をオンする。そして、Ｓ９０では、信号線６ｃの情報を入力して発ＩＤ信号を受信し、Ｓ９２、Ｓ９４において、信号線１８ａの情報を入力し、発ＩＤ信号の端末属性を判断し、ファクシミリ端末であるとＳ４２に進み、音声端末であるとＳ９６に進み、未登録であるとＳ１０８に進む。
【００６６】
Ｓ９６では、信号線２４ｂに信号レベル「０」の信号を出力してＴリレー４をオフする。そして、Ｓ９８では、信号線２４ａに信号レベル「０」の信号を出力してＣＭＬリレー２をオフする。
【００６７】
次に、Ｓ１００では、信号線１２ａの情報を入力し、１０秒以内に呼出信号を検出したか否かを判断し、肯定応答であるとＳ１０２に進み、否定応答であるとＳ４に進む。
【００６８】
Ｓ１０２では、信号線１４ｄの情報を入力し、１０秒以内に電話機が応答したか否かを判断し、否定応答であるとＳ４に進む。
【００６９】
また、肯定応答であるとＳ１０４に進み、電話機による通話をする。次に、Ｓ１０６では、信号線１４ｄの情報を入力し、直流ループが解放したか否かを判断し、解放するとＳ４に進み、解放していないとＳ１０４に進む。
【００７０】
Ｓ１０８では、信号線２４ｂに信号レベル「０」の信号を出力してＴリレー４をオフし、Ｓ１１０では、信号線２４ａに信号レベル「０」の信号を出力してＣＭＬリレー２をオフする。
【００７１】
Ｓ１１２では、信号線１２ａの情報を入力し、１０秒以内に呼出信号を検出したか否かを判断し、否定応答であるとＳ４に進み、肯定応答であるとＳ１１４に進む。
【００７２】
Ｓ１１４では、信号線１４ｄの信号を入力し、１０秒以内に電話機が応答したか否かを判断し、否定応答であるとＳ４に進み、肯定応答であるとＳ１１６に進み、タイマ１に２０秒をセットする。そして、Ｓ１１８では、電話機による通話を行う。
【００７３】
次に、Ｓ１２０では、信号線８ａの情報を入力し、ＣＮＧ信号を検出したか否かを判断し、検出するとＳ８０に進み、検出していないとＳ１２２に進む。
【００７４】
Ｓ１２２では、タイマ１がタイムオーバーしたか否かを判断し、タイムオーバーするとＳ７８に進み、タイムオーバーしていないとＳ１２４に進む。
【００７５】
Ｓ１２４では、信号線１４ｄの情報を入力し、直流ループが解放したか否かを判断し、直流ループが解放するとＳ４に進み、直流ループが解放していないとＳ１１８に進む。
【００７６】
Ｓ１２６では、信号線２０ａの情報を入力し、登録回路１８への登録が選択されたか否かを判断し、選択されるとＳ１２８に進み、信号線１８ａを介して発ＩＤ信号に対応して、ファクシミリ端末、電話端末かを登録回路１８に登録し、選択されていないとＳ４に進む。
【００７７】
図１０は、本発明の第２実施例によるファクシミリ装置の構成を示すブロック図である。
【００７８】
ＮＣＵ（網制御装置）１０２は、電話網をデータ通信等に使用するために、その回線の端末に接続し、電話交換網の接続制御を行ったり、データ通信路への切換えを行ったり、ループの保持を行うものである。また、ＮＣＵ１０２は、制御回路１２０からの信号ａと信号ｂにおいて、信号ａ（信号線１２０ａ）が「０」であれば、電話回線１０２ａを信号線１０２ｂに接続し、信号ａが「１」であれば、電話回線１０２ａを信号線１０２ｃに接続し、信号ａが「２」であれば、電話回線１０２ａを信号線１０２ｄに接続する。ここで、信号線１０２ａを信号線１０２ｃに接続した時には直流ループは形成し、信号線１０２ａを信号線１０２ｄに接続した時には直流ループは形成しない。すなわち、信号線１０２ｃは低インピーダンスで終端してあり、信号線１０２ｄは高インピーダンスで終端してある。
【００７９】
さらに、信号ａが１あるいは２の場合は、信号ｂが有効となり、信号ｂが「０」であると、信号線１０２ｂを信号線１２２ａに接続し、信号ｂが「１」であると、信号線１０２ｂを信号線１２６ａに接続し、信号ｂが「３」であると、信号線１０２ｂをオープン状態とする。
【００８０】
さらに、キーテレホン装置が直流ループを形成しているか否かの情報を信号線１０２ｅに出力する。そして、直流ループを形成している時には、信号線１０４ｅに信号レベル「１」の信号を出力し、直流ループを形成していない時には、信号線１０４ｅに信号レベル「０」の信号を出力する。
【００８１】
なお、通常状態においては、電話回線１０２ａは信号線１０２ｄに接続されている。
【００８２】
ハイブリッド回路１０６は、送信系の信号と受信系の信号とを分離し、加算回路１１２からの送信信号をＮＣＵ１０２経由で、電話回線１０２ａに送出し、相手側からの信号をＮＣＵ１０２経由で受取り、信号線１０６ａ経由で変復調器１０８に送るものである。
【００８３】
変復調器１０８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線１２０ｃにより、各伝送モードが指定される。この変復調器１０８は、信号線１２０ｂに出力されている信号を入力し、変調データを信号線１０８ａに出力し、信号線１０６ａに出力されている受信信号を入力し、復調データを信号線１０８ｂに出力する。
【００８４】
ＡＮＳａｍ送出回路１１０は、ＡＮＳａｍ信号を送出する回路であり、信号線１２０ｄに信号レベル「１」の信号が出力されている時には、信号線１１０ａにＡＮＳａｍ信号を送出し、信号線１２０ｄに信号レベル「０」の信号が出力されている時には、信号線１１０ａに何も信号を出力しない。
【００８５】
加算回路１１２は、信号線１０８ａの情報と信号線１１０ａの情報とを入力し、加算した結果を信号線１１２ａに出力するものである。読取回路１１４は、原稿の画像を読取り、この読取り画像データを信号線１１４ａに出力するものである。記録回路１１６は、信号線１２０ｅに出力されている情報を順次１ライン毎に記録するものである。
【００８６】
メモリ回路１１８は、読取りデータの生情報、あるいは、符号化した情報を格納したり、また、受信情報、あるいは、復号化した情報等を格納するために使用する。
【００８７】
送出回路１２２は、擬似ＩＤ受信端末起動信号を送出する回路であり、信号線１２０ｆに信号レベル「１」の信号が出力されている時に、４８Ｖの直流電圧に１６Ｈｚで７５Ｖｒｍｓの０．５秒オン、０．５秒オフの繰り返し信号（ＩＤ受信端末起動信号に同じ）を重畳し、出力インピーダンス２ｋΩにて擬似的に信号線１２２ａに送出するものであり、信号線１２０ｆに信号レベル「０」の信号が出力されている時は、何も出力しない。
【００８８】
送出回路１２４は、擬似呼出信号を送出する回路であり、信号線１２０ｇに信号レベル「１」の信号が出力されている時に、４８Ｖの直流電圧に１６Ｈｚで７５Ｖｒｍｓの１秒オン、２秒オフの繰り返し信号（呼出信号に同じ）を重畳し、出力インピーダンス２ｋΩにて擬似的に信号線１２４ａに送出するものであり、信号線１２０ｇに信号レベル「０」の信号が出力されている時は何も出力しない。
【００８９】
送出回路１２６は、擬似発ＩＤ信号を送出する回路であり、信号線１２０ｈに出力されている情報を入力し、４８Ｖの直流電圧にＩＴＵ−Ｔ勧告Ｖ．２３変調した信号を重畳し、出力インピーダンス２ｋΩにて信号線１２６ａに出力するものである。
【００９０】
検出回路１２８は、電話回線に出力されるＩＤ受信端末起動信号を検出する回路であり、信号線１０２ｄの情報を入力し、ＩＤ受信端末起動信号を検出すると、信号線１２８ａに信号レベル「１」の信号を出力し、ＩＤ受信端末起動信号を検出していないと、信号線１２８ａに信号レベル「０」の信号を出力する。
【００９１】
検出回路１３０は、電話回線に出力される呼出信号を検出する回路であり、信号線２ｄの情報を入力し、呼出信号を検出すると、信号線１３０ａに信号レベル「０」の信号を出力する。
【００９２】
検出回路１３２は、電話回線に出力される発ＩＤ信号を検出する回路であり、信号線１０２ｄの情報を入力し、ＩＴＵ−Ｔ勧告Ｖ．２３復調した情報を信号線１３２ａに出力する。
【００９３】
検出回路１３４は、ＣＮＧ信号を検出する回路であり、信号線１０６ａに出力されている情報を入力し、ＣＮＧ信号を検出している時には、信号線１３４ａに信号レベル「１」の信号を出力し、ＣＮＧ信号を検出していない時には、信号線１３４ａに信号レベル「０」の信号を出力する。
【００９４】
登録回路１３６は、発ＩＤ信号に対応し、ファクシミリ通信をするか、次段に接続するかを信号線１３６ａを介して登録する回路である。
【００９５】
操作部１３８は、ワンタッチダイヤルキー、短縮ダイヤルキー、テンキー、＊・＃キー、スタートキー、セットキー、登録回路１３６への登録キー、その他ファンクションキーがあり、押下されたキー情報を信号線１３８ａに出力する。
【００９６】
キーテレホン装置１４０は、外線２回線（信号線１０２ｂ、信号線１４０ｇの２回線）を収容し、内線６回線を収容している。内線としては、信号線１４０ａＡ１４０ｂ、１４０ｃ、１４０ｄ、１４０ｅ、１４０ｆの６回線であり、それぞれ電話機１４２、電話機１４４、電話機１４６、電話機１４８、電話機１５０、電話機１５２が接続されている。
【００９７】
制御回路１２０は、このファクシミリ装置全体の制御を行うものであり、特に第２実施例において、主に以下のような制御に行う。まず、電話回線を次段のキーテレホン装置１４０と接続しない状態にしておき、ＩＤ受信端末起動信号の検出時に１次応答し、発ＩＤ信号を受信し、この発ＩＤ信号の宛先からファクシミリ通信をする場合には、ファクシミリ通信を開始し、この発ＩＤ信号の宛先からファクシミリ通信をしない場合には、次段のキーテレホン装置１４０へ擬似ＩＤ受信端末起動信号を送出し、応答後に擬似発ＩＤ信号を送信し、直流ループの解放を検出後、電話回線を次段のキーテレホン装置１４０へ接続する。また、電話回線を次段のキーテレホン装置１４０と接続しない状態にしておき、呼出信号の検出時に応答し、所定時間以内にＣＮＧ信号を検出できない場合には、次段のキーテレホン装置１４０へ擬似呼出信号を送出し、応答後に電話回線を次段のキーテレホン装置１４０へ接続する。
【００９８】
図１１〜図１６は、この第２実施例における制御回路１２０の制御の流れを示すフローチャートである。
【００９９】
まず、Ｓ２００で動作を開始し、Ｓ２０２では、信号線２２０ａにａｂ＝２３を出力し、信号線１０２ａを信号線１０２ｄに接続し、また、信号線１０２ｂをオープンとする。
【０１００】
また、Ｓ２０４では、信号線１２０ｄに信号レベル「０」の信号を出力してＡＮＳａｍ信号を送信しない状態とする。また、Ｓ２０６では、信号線１２０ｆに信号レベル「０」の信号を出力し、擬似ＩＤ受信端末起動信号を送信しない状態とする。
【０１０１】
また、Ｓ２０８では、信号線１２０ｇに信号レベル「０」の信号を出力し、擬似呼出信号を送信しない状態とする。また、Ｓ２１０では、信号線１２０ｈに信号レベル「０」の信号を出力し、擬似発ＩＤ信号を送信しない状態とする。
【０１０２】
また、Ｓ２１２では、信号線１２８ａの信号を入力し、ＩＤ受信端末起動信号を検出したか否かを判断し、検出するとＳ２２２に進み、検出していないとＳ２１４に進む。
【０１０３】
Ｓ２１４では、信号線１３０ａの信号を入力し、呼出信号を検出したか否かを判断し、検出するとＳ２７４に進み、検出していないとＳ２１６に進む。
【０１０４】
Ｓ２１６では、信号線１３８ａの情報を入力し、登録回路１３６への登録が選択されたか否かを判断し、選択されていないとＳ２２０に進み、その他の処理をして、Ｓ２０２に戻る。
【０１０５】
また、Ｓ２１６で選択されるとＳ２１８に進み、信号線１３６ａを介して登録回路１３６に発ＩＤ信号に対応し、ファクシミリ通信をするか、次段に接続するかを登録する。この後、Ｓ２２０に進む。
【０１０６】
また、Ｓ２２２では、信号線１２０ａにａｂ＝１３を出力し、信号線１０２ａを信号線１０２ｃに接続し、１次応答する。そして、Ｓ２２４では、信号線１３２ａの情報を入力し、発ＩＤ信号の受信および記憶を行う。
【０１０７】
次に、Ｓ２２６では、信号線１３６ａの情報を入力し、この発ＩＤ信号は、ファクシミリ通信をする宛先であるか否かを判断し、ファクシミリ通信する宛先であるとＳ２２８に進み、次段に接続する宛先であるとＳ２４４に進む。
【０１０８】
Ｓ２２８では、信号線１２０ａにａｂ＝２３を出力し、信号線１０２ａを信号線１０２ｄに接続して直流ループを断する。そして、Ｓ２３０では、タイマ１に１５秒をセットする。
【０１０９】
次に、Ｓ２３２では、信号線１３０ａの情報を入力し、呼出信号を検出したか否かを判断し、検出するとＳ２３６に進み、検出していないとＳ２３４に進む。Ｓ２３４では、タイマ１がタイムオーバーしたか否かを判断し、タイムオーバーするとＳ２１６に進み、タイムオーバーしていないとＳ２３２に進む。
【０１１０】
Ｓ２３６では、信号線１２０ａにａｂ＝１３を出力し、信号線１０２ａを信号線１０２ｃに接続し、２次応答する。そして、Ｓ２３８では前手順を行い、Ｓ２４０では画信号の受信と記録を行う。そして、Ｓ２４２では後手順を行い、Ｓ２１６に進む。
【０１１１】
また、Ｓ２４４では、信号線１２０ａにａｂ＝２３を出力し、信号線１０２ａ信号線１０２ｄに接続し、直流ループを断とする。そして、Ｓ２４６では、信号線１２０ａにａｂ＝２０を出力し、信号線１０２ｂを信号線１２２ａに接続する。
【０１１２】
次に、Ｓ２４８では、信号線１２０ｆに信号レベル「１」の信号を出力し、送出回路１２２より、擬似ＩＤ受信端末起動信号を送出する。そして、Ｓ２５０では、タイマ１に１５秒をセットする。
【０１１３】
次に、Ｓ２５２では、信号線１０２ｅの情報を入力し、キーテレホン装置１４０が直流ループを形成したか否かを判断し、形成するとＳ２５６に進み、形成しないとＳ２５４に進む。
【０１１４】
Ｓ２５４では、タイマ１がタイムオーバーしたか否かを判断し、タイムオーバーするとＳ２１６に進み、タイムオーバーしていないとＳ２５２に進む。
【０１１５】
また、Ｓ２５６では、信号線１２０ｆに信号レベル「０」の信号を出力し、送出回路１２２より擬似ＩＤ受信端末起動信号を送出しない状態とする。次に、Ｓ２５８では、信号線１２０ａにａｂ＝２２を出力し、信号線１０２ｂを信号線１２６ａに接続する。
【０１１６】
そして、Ｓ２６０では、信号線１２０ｈに受信した発ＩＤ信号を出力し、Ｓ２６２では、タイマ１に１５秒をセットする。
【０１１７】
そして、Ｓ２６４では、信号線１０２ｅの情報を入力し、キーテレホン装置１４０が直流ループを断したか否かを判断し、断するとＳ２６８に進み、断しないとＳ２６６に進む。Ｓ２６６では、タイマ１がタイムオーバーしたか否かを判断し、タイムオーバーするとＳ２１６に進み、タイムオーバーしていないとＳ２６４に進む。
【０１１８】
Ｓ２６８では、信号線１２０ａにａｂ＝２３を出力し、信号線１０２ｂをオープンにする。そして、Ｓ２７０では、信号線１２０ａにａｂ＝０３を出力し、信号線１０２ａを信号線１０２ｂに接続する。さらに、Ｓ２７２では、信号線１０２ｅの信号を入力し、キーテレホン装置１４０が直流ループを断したか否かを判断し、断するとＳ２１６に進む。
【０１１９】
Ｓ２７４では、信号線１２０ａにａｂ＝１３を出力し、信号線１０２ａを信号線１０２ｃに接続する。Ｓ２７６では、タイマ１に５秒をセットする。
【０１２０】
Ｓ２７８では、信号線１３４ａの情報を入力し、ＣＮＧ信号を検出したか否かを判断し、検出するとＳ２３８に進み、検出してないとＳ２８０に進む。Ｓ２８０では、タイマ１がタイムオーバーしたか否かを判断し、タイムオーバーするとＳ２８２に進み、タイムオーバーしていないとＳ２７８に進む。
【０１２１】
Ｓ２８２では、信号線１２０ａにａｂ＝１１を出力し、信号線１０２ｂを信号線１２４ａに接続する。Ｓ２８４では、信号線１２０ｇに信号レベル「１」の信号を出力し、送出回路１２４により擬似呼出信号を送出する。そして、Ｓ２８６では、タイマ１に３０秒をセットする。
【０１２２】
次に、Ｓ２８８では、信号線１０２ｅの情報を入力し、キーテレホン装置１４０が直流ループを形成したか否かを判断し、直流ループを形成するとＳ２９２に進み、直流ループを形成していないとＳ２９０に進む。
【０１２３】
Ｓ２９０では、タイマ１がタイムオーバーしたか否かを判断し、タイムオーバーするとＳ２１６に進み、タイムオーバーしていないとＳ２８８に進む。
【０１２４】
Ｓ２９２では、信号線１２０ｇに信号レベル「０」の信号を出力し、送出回路１２４により擬似呼出信号を送出しない状態とし、Ｓ２７０に進む。
【０１２５】
なお、以上の実施例としては、ファクシミリ装置の次段の端末装置として、キーテレホン装置を接続したが、発信電話番号通知サービスを利用可能な端末装置であれば、他の端末を接続するものであってもよい。
【０１２６】
【発明の効果】
以上説明したように、本発明によれば、外部に外部端末装置に接続できる構成の装置において、両方の装置において、発信番号通知サービスを効率良く利用することができる。
【０１２７】
特に、請求項１の発明によれば、電話回線から通知された信号が、受信端末起動信号か、呼出信号かに応じて、外部端末装置へ擬似的に発信電話番号通知サービスを提供でき、柔軟な着信制御を行うことができる。
【０１２８】
また、請求項３の発明によれば、外部端末装置が発信番号通知サービスにより発信側電話番号の通知を受けるためのシーケンスを実行していても、このシーケンスを妨害することなく発信側の電話番号を検出することができる。
【図面の簡単な説明】
【図１】本発明の第１実施例を示すブロック図である。
【図２】従来例を示すブロック図である。
【図３】上記第１実施例の動作を示すフローチャートである。
【図４】上記第１実施例の動作を示すフローチャートである。
【図５】上記第１実施例の動作を示すフローチャートである。
【図６】上記第１実施例の動作を示すフローチャートである。
【図７】上記第１実施例の動作を示すフローチャートである。
【図８】上記第１実施例の動作を示すフローチャートである。
【図９】上記第１実施例の動作を示すフローチャートである。
【図１０】本発明の第２実施例を示すブロック図である。
【図１１】上記第２実施例の動作を示すフローチャートである。
【図１２】上記第２実施例の動作を示すフローチャートである。
【図１３】上記第２実施例の動作を示すフローチャートである。
【図１４】上記第２実施例の動作を示すフローチャートである。
【図１５】上記第２実施例の動作を示すフローチャートである。
【図１６】上記第２実施例の動作を示すフローチャートである。
【符号の説明】
２…ＣＭＬリレー、
４…Ｔリレー、
６、１３２…発ＩＤ信号検出回路、
８、１３４…ＣＮＧ信号検出回路、
１０、１２８…ＩＤ受信端末起動信号検出回路、
１２、１３０…呼出信号検出回路、
１４…オフフック検出回路、
１６…ファクシミリ通信部、
１８、１３６…登録回路、
２０…オペレーション部、
２２…設定回路、
２４、１２０…制御回路、
３０…ファクシミリ装置、
４０、１４０…キーテレホン装置、
４２〜５２、１４２〜１５２…電話機、
１０２…ＮＣＵ、
１０６…ハイブリッド回路、
１０８…変復調器、
１１０…ＡＮＳａｍ送出回路、
１１２…加算回路、
１１４…読取回路、
１１６…記録回路、
１１８…メモリ回路、
１２２…擬似ＩＤ受信端末起動信号送出回路、
１２４…擬似呼出信号送出回路、
１２６…擬似発ＩＤ信号送出回路、
１３８…操作部。
【図１】
0003610335.tif 000002
【図２】
0003610335.tif 000003
【図３】
0003610335.tif 000004
【図４】
0003610335.tif 000005
【図５】
0003610335.tif 000006
【図６】
0003610335.tif 000007
【図７】
0003610335.tif 000008
【図８】
0003610335.tif 000009
【図９】
0003610335.tif 000010
【図１０】
0003610335.tif 000011
【図１１】
0003610335.tif 000012
【図１２】
0003610335.tif 000013
【図１３】
0003610335.tif 000014
【図１４】
0003610335.tif 000015
【図１５】
0003610335.tif 000016
【図１６】
0003610335.tif 000017